(57)【要約】【課題】荷台前側の拡散室の上下にビータ、拡散盤を配置し、この拡散室前側から拡散排出する高拡散形態の肥料散布機では、大形の作業機形態となるもので、歩行操作作業形態では、前方の肥料拡散口からの散布状態を見通すことが困難である。この発明は、これら前部の拡散口、及び拡散室の高さを低くして、この上側部にホッパーを配置することにより、機体の全長を短くして、拡散口前方を見易くし、作業操作性を容易化するものである。【解決手段】肥料ホッパー１の底面に形成される繰出口２部に、前後方向へ開閉摺動するシャッター３と、この繰出口２から落下される肥料を受けて回転拡散する拡散盤４、及びこの拡散室５を設け、この拡散盤４の回転によって肥料を放出させる拡散口６の前方横側部には、この拡散口６幅の内外に回動可能で、かつこの拡散室５の外側部に折畳収納可能の拡散案内板７を設けたことを特徴とする肥料散布機の拡散案内装置の構成とする。【選択図】図１
2005261328.tif 000002
【特許請求の範囲】
【請求項１】
肥料ホッパー（１）の底面に形成される繰出口（２）部に、前後方向へ開閉摺動するシャッター（３）と、この繰出口（２）から落下される肥料を受けて回転拡散する拡散盤（４）、及びこの拡散室（５）を設け、この拡散盤（４）の回転によって肥料を放出させる拡散口（６）の前方横側部には、この拡散口（６）幅の内外に回動可能で、かつこの拡散室（５）の外側部に折畳収納可能の拡散案内板（７）を設けたことを特徴とする肥料散布機の拡散案内装置。
【請求項２】
前記拡散案内板（７）の内側面には、拡散口（６）よりも高位にわたるゴム板（８）を敷設したことを特徴とする請求項１に記載の肥料散布機の拡散案内装置。
【発明の詳細な説明】
【技術分野】
【０００１】
この発明は、小形、軽量化を図り、肥料の散布調節域を大きくして作業性を高める肥料散布機の拡散案内装置に関する。
【背景技術】
【０００２】
肥料を収容する荷台の前側に上下に高い拡散室と、拡散口を形成し、この拡散室の底部には拡散盤を設け、上部にはビータを設ける。この上部のビータ部と対向する上部拡散口の前方横側には、左右に回動してビータ側部を開閉する拡散案内板を設け、この拡散案内板の下側にはゴム垂れを設けた技術（例えば特許文献１参照）が知られている。
【特許文献１】実公平７−５１８５０号公報（第３頁、図３）
【発明の開示】
【発明が解決しようとする課題】
【０００３】
荷台前側の拡散室の上下にビータ、拡散盤を配置し、この拡散室前側の拡散口から前方へ拡散排出する高拡散形態の肥料散布機では、乗用走行形態か、トラクタ等で牽引する大形の作業機形態となるもので、歩行操作作業形態では、前方の肥料拡散口からの散布状態を見通すことが困難である。この発明は、これら前部の拡散口、及び拡散室の高さを低くして、この上側部にホッパーを配置することにより、機体の全長を短くして、拡散口前方の肥料拡散状態を見易くし、作業操作性を容易化するものである。
【課題を解決するための手段】
【０００４】
請求項１に記載の発明は、肥料ホッパー１の底面に形成される繰出口２部に、前後方向へ開閉摺動するシャッター３と、この繰出口２から落下される肥料を受けて回転拡散する拡散盤４、及びこの拡散室５を設け、この拡散盤４の回転によって肥料を放出させる拡散口６の前方横側部には、この拡散口６幅の内外に回動可能で、かつこの拡散室５の外側部に折畳収納可能の拡散案内板７を設けたことを特徴とする肥料散布機の拡散案内装置の構成とする。ホッパー１に供給された肥料は、この底部の繰出口２のシャッター３の開きによって、下側の拡散室５内へ繰出落下される。この肥料は拡散盤４の回転によって前側の拡散口６から前方下の土壌面に拡散される。このとき拡散口６の左右両側部では、拡散案内板７でこの放出肥料の拡散域を案内して、所定の散布幅域を決めて案内することができる。この拡散案内板７の前方への突出が邪魔になるときは、この拡散案内板７を外側へ回動して折畳んだ形態として収納させる。
【０００５】
請求項２に記載の発明は、前記拡散案内板７の内側面には、拡散口６よりも高位にわたるゴム板８を敷設したことを特徴とするものである。拡散口６から前方へ拡散排出される肥料は、この拡散案内板７の内面のゴム板８面に摺動案内される。このため、拡散幅を調節したとき、この拡散案内板７の継目がゴム板８で被覆されて、肥料の引っ掛り等の抵抗を少なくして円滑な拡散排出を行わせることができる。又、このゴム板８の高さが拡散口６の上側部にわたるように形成されて、拡散盤４による拡散放出域が拡散口６上側位置になっても外側への飛散を少なくすることができる。シャッター３を前側へ操作して、拡散口６の前側に突出する構成としても、拡散案内板７には直接当接せず、ゴム板８の上端縁部に当接させることができ、構成を簡単化することができる。
【発明の効果】
【０００６】
請求項１に記載の発明は、ホッパー１の直下に繰出口２や、シャッター３、拡散盤４、及び拡散室５等が低く形成されるため、このホッパー１及び全体の高さを低くして、拡散口６前方の肥料散布域を容易に見通すことができ、肥料散布機の構成を小形、軽量化することができ、作業操作性を容易にすることができる。又、この拡散口６前方横側の拡散案内板７の左右回動によって、拡散盤４により拡散放出される肥料を直接案内して目的の散布幅域内に落下散布させることができ、この拡散域を広くしたり、拡散の邪魔になるとき等では、この拡散案内板７を拡散室５の外側へ折畳むことができ、これら拡散室５及び拡散案内板７の高さを低く形成して、軽量、簡単にすることができる。
【０００７】
請求項２に記載の発明は、拡散案内板７の内側面には、ゴム板８が拡散口６よりも高くして形成されるため、肥料の拡散案内を円滑に行わせると共に、この拡散案内板７の構成を簡単化することができ、高さを低くして、軽量化できる。しかも、シャッター３の前端部が拡散口６の上端から前方に突出する形態としても、拡散案内板７自体の高さは低くできるために当接することがない。
【発明を実施するための最良の形態】
【０００８】
図例に基づいて、肥料散布機は、左右一対のクローラ９を有して走行できる車体１０上に、前端部に供給ホッパー１を搭載し、後部にエンジン１１を搭載すると共に操縦ハンドル１２を配置して、ハンド走行形態に構成している。このエンジン１１によってクローラ９を伝動して駆動走行し、供給ホッパー１下の拡散盤４や、ホッパー１内の繰出羽根軸１４、及びビータ軸１５等を駆動回転して肥料を繰出散布することができる。この供給ホッパー１は、車体１０の前端部上にあって前壁１６部が前方にオーバハングする形態にして搭載される。この前壁１６と後壁１７とは比較的急勾配に形成されて、収容肥料が流下され易い形態としている。この後壁１７の上部に位置する上部後壁１８は緩傾斜にして収容量を大きくできる形態とし、内側には、ダンパ軸１９の周りに前後に回動できるダンパプレート２０が設けられ、このダンパプレート２０で受ける肥料をダンプ作用によって前側のビータ軸１５側へ流下させる。前壁１６上部は開口部２１が形成されて、下端のゲート軸２２周りに前側下部へ開くことのできるゲート２３が設けられて、肥料のホッパー１内への供給、投入を行い易くしている。これらホッパー１の前壁１６や後壁１７に対向する左右両側壁２４部は直立に平行状で、この上部の上部側壁２５部は左右両側に傾斜して収容量を大きくするように形成している。このホッパー１の下端部には車体１０幅にわたって広く繰出口２が形成される。
【０００９】
前記供給ホッパー１の繰出口２の下側には、前後摺動されて開閉されるシャッター３が設けられ、この下側に拡散盤４を配置した拡散室５が設けられる。この拡散盤４は、上下方向の拡散軸２７の周りに回転されるもので、拡散室５内に左右両側部に配置され、上面には拡散羽根２８を有し、上方の繰出口２から繰出される肥料を受けて回転しながら前側の拡散口６から圃場面に散布するものである。シャッター３は、繰出口２と略同様に幅広く形成されて、前半部に閉鎖板部３０を形成し、後半部にこの繰出口２と重合可能のシャッタ口部３１を形成し、左右外側部に沿ってシャッタフランジ３２を形成する。前記拡散室５を構成する拡散カバー３３の上部を外側へ膨出させて摺動溝３４を形成し、この摺動溝３４にシャッター３のシャッタフランジ３２を嵌合案内させる。この摺動溝３４の下側には合成樹脂製のレール３５が設けられて、このレール３５上面にシャッタフランジ３２を摺動させる。前記供給ホッパー１の前、後壁１６，１７の下縁３６，３７は前後水平状に折曲げられていて、この下面にシャッター３の上面閉鎖板部３０が摺接して、これら前後部への肥料の挾込みを防止する。これら供給ホッパー１の下縁３６，３７とシャッター３との間隔は、前記レール３５の取付案内高さの調整によってできるだけ発生しないように設定することができる。又、ホッパー１後側の下縁３７の下側には、前記拡散カバー３３側から起立のカバー縁３８を形成し、この上端にインシュレータ３９を取付けて、ホッパー１の後壁１７下縁３７の下面に圧接させて、拡散室５内と後側外部との間を仕切って、拡散肥料の飛出を防止する。
【００１０】
前記ホッパー１後方の操縦ハンドル１２部近傍には車体走行伝動を入り切りする走行クラッチの走行クラッチレバー４０や、拡散盤４等を伝動して肥料の繰出散布を行わせる作業クラッチの作業クラッチレバー４１、走行変速を行う変速レバー４２、及び前記シャッター３を開閉するシャッタレバー１３等を配置する。前記シャッター３を開閉するシャッタレバー３は、エンジン１１の右横側の支持ブラケット４３にレバー軸４４周りに前後回動可能に設けられる。このシャッタレバー１３と支持ブラケット４３との間には、摩擦ディスク形態のブレーキディスク４５が設けられて、このシャッタレバー１３の前後操作位置を適宜係止維持でき、作業者はこのブレーキディスク４５のブレーキ力に抗して強制回動して前後に回動操作することができる。アーム比変更機構２６は、このシャッタレバー１３と一体のレバーアーム４６に形成のロッド穴４７，４８と、前方車体１０上のリンクアーム４９との間は、ターンバックル５０を有して長さ調節可能のリンクロッド５１で連結される。このリンクアーム４９のアーム軸５２には、このリンクアーム４９よりも長いリンクアーム５３が左右両側端部に設けられて、この各リンクアーム５３の先端部と、前記シャッター３の後端左右両側端部との間をリンクロッド５４，５５で連結する。このうち左側のリンクロッド５４にはターンバックル５６が設けられていて、リンクロッド５４の長さを調節することができ、この調節によってシャッター３の前後位置を調整して左右の傾きを修正することができると共に、このシャッター３の開閉操作を円滑に行わせる。
【００１１】
この肥料散布機は、主として堆、厩肥の散布に用いられるが、これらの他に細い粉粒体である化成肥料や石灰類の散布をも可能とする。この化成肥料等の散布のためには、繰出口２の開度を絞る必要がある。ここで、堆、厩肥を散布するときは、前記リンクロッド５１をレバーアーム４６のロッド穴４７に係合して、シャッター３の前後移動量を大きくして、このシャッター３による繰出口２の開度を大きくすることができ、又、化成肥料等の散布をするときは、リンクロッド５１をレバーアーム４６のロッド穴４８に係合することによって、シャッター３の前後移動量を小さくして、繰出口２の開度を小さくすることができる構成としている。シャッタレバー１３は前後方向へ一定角域にわたって操作することができ、この前側への回動操作によって繰出口２を開き、後側への操作で閉じることができる。又、シャッター３の開閉作動位置は、前記リンクロッド５１のターンバックル５０の調節操作によって調整できる。
【００１２】
前記拡散カバー３３の下面には、拡散軸２７部の下側に伝動ケース５７が取付けられて、拡散ブロック２９が構成される。この拡散ブロック２９の後側面には、伝動ケース５７の後面と拡散カバー３３の後部下面とによる段差部５８を形成する。この拡散ブロック２９を搭載する車体１０の前端部には支持フレーム６０を突出して、これら車体１０の前端上面と支持フレーム１０上面とによる段差部５９を形成する。これら拡散ブロック２９の段差部５８を車体１０側の段差部５９上に、前側から合せるようにして搭載し、ボルト締め等によって着脱可能に取付ける（図５）構成により、拡散ブロック２９の着脱、位置決め、メンテナンス等を簡単にすることができる。前記ホッパー１はこの拡散ブロック２９上に着脱される。
【００１３】
前記拡散ケース３３の左右両側には、拡散案内板７が取付けられ、中央部には分流板６１が設けられる。この拡散案内板７は、拡散ケース３３の外側部に固定する取付部７１と、この取付部７１前端のヒンジ６２及びピン７４周りに左右方向へ回動可能の中間部７２と、この中間部７２前端のヒンジ６３周りに左右方向へ回動可能の先端部７３等から構成される。これらの内側面に沿ってゴム板８が敷設される。これら取付部７１、中間部７２，７５及び先端部７３等は断面アングル状に形成して、このアングル形態の底辺部７６の前後端部に円弧状の案内穴７７を形成し、この案内穴７７の重合部をボルト７０締めで締付固定している。又、該アングル形態の各垂直辺部７８は、前記拡散口６の高さ内に形成されて、ゴム板８をこれらの内側面に沿って敷設して、上端をこれら垂直辺部７８上方へ突出させて、拡散口６上側のシャッター３の高さ位置に対向する。このゴム板８は、取付部７１と中間部７２の内側面にわたって敷設される後部８１と、先端部７３の内側面に敷設される前部８２とから構成され、これらの前後端部は適宜幅にわたって重合させている。ゴム板８は適宜の弾性を有するもので、拡散肥料の付着を防止する。このゴム板８としてポリエチレンシートのような合成樹脂製とすることもできる。
このような拡散案内板７は、各ヒンジ６２，６３の周りに左右に回動させて、拡散口６から放出される肥料の拡散案内角度を変えることができる。拡散域幅を標準位置Ａに設定するときは、左右の拡散案内板７は機体の直進方向と平行状に前方へ直線状に突出させる。拡散幅を狭くする狭幅位置Ｂに設定するときは、この中間部７２と先端部７３をヒンジ６２，６３の周りに内側へ回動して、このヒンジ６２，６３部をボルト等で締付けることによって固定する。又、拡散幅を標準位置Ａよりも広くしたり、更にこの拡散案内板７を標準位置Ａから外側へ回動して、拡散室５の外側に沿う形態に収納Ｃさせる。
【００１４】
前記分流板６１は、左右の拡散盤４間に位置する仕切板６４の前端部に設けられて、拡散盤４によって拡散放出される肥料を左右両側方に分流させるようにして放出させる。この分流板６１は三角形態に構成されて、この分流板６１は前記拡散カバー３３の取付ブラケット６７に対して長穴６８に嵌合するセットボルト６９の締付けで上下取付位置を調節することができる。この分流板６１の高さ調節によって、左右両側方へ分流案内される分散量と、この分流板６１直下を前方へ放出される中央放出量とを調節して、左右幅全面に対する拡散分布状態を調整することができる。
【図面の簡単な説明】
【００１５】
【図１】肥料散布機の全体側面図。
【図２】拡散案内板部の平面図。
【図３】その拡散室部の正面図。
【図４】肥料散布機の全体平面図。
【図５】シャッターの開閉作動図。
【符号の説明】
【００１６】
１    ホッパー
２    繰出口
３    シャッター
４    拡散盤
５    拡散室
６    拡散口
７    拡散案内板
８    ゴム板
【図１】
2005261328.tif 000003
【図２】
2005261328.tif 000004
【図３】
2005261328.tif 000005
【図４】
2005261328.tif 000006
【図５】
2005261328.tif 000007